(57)【要約】【課題】衛生洗浄装置のケーシング内で結露した水滴をケーシング外に漏らさない衛生洗浄装置を提供することを目的とする。【解決手段】給水源から供給される洗浄水を人体に噴射する衛生洗浄装置において、便器の取付面に設置され、底板部と、底板部の周縁から上方に延びる立壁部とから構成される下ケースと、下ケースを上側から覆う上ケースと、を有するケーシングと、人体に洗浄水を噴射する洗浄ノズルと、給水源から洗浄ノズルまでの流路に設けられ、給水源から供給される洗浄水を加熱する加熱手段と、を備え、洗浄ノズル及び加熱手段はケーシング内に収容されたものであって、ケーシングは、下ケースの立壁部の上面と上ケースの一部とが接合することで接合部が形成され、接合部を形成する立壁部の上面の少なくとも一部に、立壁部の厚み方向に延びる縁起り溝が形成されていることを特徴とする。【選択図】図６
2013096090.tif 000002
【特許請求の範囲】
【請求項１】
給水源から供給される洗浄水を人体に噴射する衛生洗浄装置において、
便器の取付面に設置され、底板部と、底板部の周縁から上方に延びる立壁部とから構成される下ケースと、
前記下ケースを上側から覆う上ケースと、を有するケーシングと、
人体に洗浄水を噴射する洗浄ノズルと、
給水源から洗浄ノズルまでの流路に設けられ、給水源から供給される洗浄水を加熱する加熱手段と、を備え、
前記洗浄ノズル及び加熱手段は前記ケーシング内に収容されたものであって、
前記ケーシングは、前記下ケースの立壁部の上面と上ケースの一部とが接合することで接合部が形成され、
前記接合部を形成する立壁部の上面の少なくとも一部に、立壁部の厚み方向に延びる縁起り溝が形成されていることを特徴とする衛生洗浄装置。
【請求項２】
前記立壁部の内壁に、前記縁起り溝と連通し前記縁切り溝より下方に延びる案内溝が形成されていることを特徴とする請求項１に記載の衛生洗浄装置。
【請求項３】
前記立壁部の上面において縁切り溝の外側に、前記縁切り溝に溜まった水が前記立壁部の外へ流出することを防止する流出防止壁が設けられていることを特徴とする請求項１に記載の衛生洗浄装置。
【発明の詳細な説明】
【技術分野】
【０００１】
本発明は、衛生洗浄装置に係り、特に、腰掛便器に腰かけた使用者の「おしり」などを水や温水などで洗浄する衛生洗浄装置に関する。
【背景技術】
【０００２】
図１に従来の衛生洗浄装置の斜視図を示す。
図１に示す衛生洗浄装置１は、給水源（図示せず）から供給される洗浄水を人体に向けて噴射する洗浄ノズル（図示せず）を進退自在に収容したケーシング６と、ケーシング６に回動自在に軸支された便座２と、便座２を覆う便蓋４とから構成されている。なお、この衛生洗浄装置１は通常、腰掛便器の上面後部に設置して使用される。
図２には図１の衛生洗浄装置のケーシング６を後方から見た斜視図を示す。この図２では、便座２と便蓋４を省略しケーシング６のみを示している。図２に示すとおり、ケーシング６は下ケース１０と上ケース８とから構成されている。そして、下ケース１０と上ケース８とからなる筺体構造の内部には、洗浄ノズル（図示せず）や熱交換器（図示せず）などの機能部が内蔵されている。
【先行技術文献】
【特許文献】
【０００３】
【特許文献１】特開昭６４−０８３７３５
【発明の概要】
【発明が解決しようとする課題】
【０００４】
ところで、上記したケーシング６では、その内部に貯湯タンクや熱交換器等が配置されており、季節によってはトイレ室内の大気の温度とケーシング６内部の温度との温度差が大きくなる。また、洗浄ノズルから温水を噴射して人体洗浄を行うこともあり、その温水から発生した湯気（湿潤空気）がケーシング６内部に侵入することもある。その結果、ケーシング６内部で結露することがある。
【０００５】
特に上ケース８の内壁で結露した水滴は、量が増したり外部から振動が加わる等すると、上ケース８の内壁に沿って流下する。そして、その水滴は、下ケース１０と上ケース８との接合部１８に進入し、そこで毛細管現象により接合部１８に沿って流れることがある（図２の矢印Ａ〜Ｃの水の流れ）。
そして、矢印Ａ〜Ｃで流れてきた水（水滴）は、接合部１８に形成された開口部１２に到達することで、矢印Ｄのようにケーシング６外に流出することがあり、衛生洗浄装置１が取り付けられている便器本体または床面が濡れる恐れがあった。ここで、開口部１２は、ケーシング６内部から電源コード等を外に引き出すための開口部等のことを指している。
また、上記のような開口部が無い場合であっても、ケーシング６の角部（コーナー部）などでは、接合部に沿って流れてきた水が滞留し、量が増すことで、そこから流出してしまうこともある。
【０００６】
そこで、本発明は、上述した従来技術の問題点を解決するためになされたものであり、衛生洗浄装置のケーシング内で結露した水滴をケーシング外に漏らさないことを目的としている。
【課題を解決するための手段】
【０００７】
上記の目的を達成するために、本発明は、以下のような手段を採用している。すなわち、本発明は、給水源から供給される洗浄水を人体に噴射する衛生洗浄装置において、便器の取付面に設置され、底板部と、底板部の周縁から上方に延びる立壁部とから構成される下ケースと、下ケースを上側から覆う上ケースと、を有するケーシングと、人体に洗浄水を噴射する洗浄ノズルと、給水源から洗浄ノズルまでの流路に設けられ、給水源から供給される洗浄水を加熱する加熱手段と、を備え、洗浄ノズル及び加熱手段はケーシング内に収容されたものであって、ケーシングは、下ケースの立壁部の上面と上ケースの一部とが接合することで接合部が形成され、接合部を形成する立壁部の上面の少なくとも一部に、立壁部の厚み方向に延びる縁起り溝が形成されていることを特徴とする。
【０００８】
このように構成された本発明においては、接合部を形成する立壁部の上面の少なくとも一部に、立壁部の厚み方向に延びる縁起り溝が形成されているので、上ケースの内壁で結露した水滴が下ケースと上ケースの接合部に侵入し、その接合部に沿って流れようとしても、その流れを遮断することができる。したがって、接合部に開口部が設けられている場合であっても、その開口部から水滴が流出することがない。また、ケーシングの角部の接合部などから水滴が流出することがない。よって、機外漏水を防ぐことが出来る。
【０００９】
本発明は、好ましくは、立壁部の内壁に、縁起り溝と連通し縁切り溝より下方に延びる案内溝が形成されていることを特徴とする。
【００１０】
このように構成された本発明においては、下ケースの立壁部の内壁に縁起り溝に溜まった水を下方に案内する案内溝が形成されているため、縁切り溝に溜まった水を下ケースの内側下方に案内することができる。したがって、より確実に機外漏水を防ぐことができる。
【００１１】
本発明は、好ましくは、立壁部の上面において縁切り溝の外側に、縁切り溝に溜まった水が立壁部の外へ流出することを防止する流出防止壁が設けられていることを特徴とする。
【００１２】
このように構成された本発明においては、縁切り溝の外側に、縁切り溝に溜まった水が立壁部の外へ流出することを防止する流出防止壁が設けられているため、縁切り溝に溜まった水が立壁部の外へ流出することがなく、縁切り溝に溜まった水が所定量に達すると、自然に下ケースの内側下方に流下する。したがって、より確実に機外漏水を防ぐことができる。
【発明の効果】
【００１３】
本発明によれば、下ケースと上ケースの接合部に沿って流れようとする水の流れを遮断して、機外漏水を確実に防止できる衛生洗浄装置を提供することができる。
【図面の簡単な説明】
【００１４】
【図１】従来の衛生洗浄装置の斜視図である。
【図２】図１のケーシングの後方からの斜視図である。
【図３】本発明の実施の形態の下ケースを表す斜視図である。
【図４】本発明の実施の形態の上ケースを表す斜視図である。
【図５】図３の領域Ａにおいて、上ケースを取り外した状態を示す斜視図である。
【図６】図５の下ケース接合面の拡大図である。
【図７】図３の領域Ａにおいて、上ケースを取り付けた状態を示す図である。
【図８】本発明の縁起り溝２０の原理を示す模式図である。
【図９】図３の領域Ｂにおいて、上ケースを取り外した状態を示す斜視図である。
【図１０】図３の領域Ｂにおいて、上ケースを取り付けた状態を示す斜視図である。
【発明を実施するための形態】
【００１５】
以下、図面を参照して、本発明の実施形態について説明する。
まず、図３、図４により、本発明の実施形態による衛生洗浄装置の下ケースと上ケースを説明する。図３は、下ケースを示す斜視図であり、図４は、上ケースを示す斜視図である。
【００１６】
本実施形態の衛生洗浄装置における下ケース、上ケースは、図３に示す下ケース１０の上に洗浄ノズルや熱交換器等の機能部（図示しない）を取り付け、その上方を覆うように図４の上ケース８が取り付けられるものであり、下ケース１０と上ケース８とで筺体構造を形成するものである。
【００１７】
図３に示すように下ケース１０は、便器（図示しない）のケーシング取り付け面の上側に設置される底板部１５と、底板部１５の周囲を取り囲むように形成される立壁部１７とから形成されている。立壁部１７の上面は、後述する上ケース８の一部と接合する下ケース接合面１６になっている。
【００１８】
次に、図４に示すように上ケース８は、天井壁部７と、天井壁部７の周縁から下方に延びる側壁部５とから形成される。そして、側壁部５の下面は、前述の下ケース接合面１６と接合する上ケース接合面１４が形成されている。
【００１９】
次に、図５、図６、図７により、下ケース接合面の詳細構造を説明する。
図５は、図３の領域Ａの拡大斜視図であり、上ケースの取り付け前を示している。また、図６は、図５の下ケース接合面をさらに拡大した図である。さらに、図７は、図３の領域Ａにおいて上ケースの取り付け後を示すものであり、上ケースと下ケースとから構成される筺体構造の内側より見た図である
【００２０】
図５、図６に示すように立壁部１７の上面は、下ケース接合面１６になっており、その下ケース接合面１６には、立壁部１７の厚さ方向全域に亘って延びる縁切り溝２０が形成されている。さらに、立壁部１７の内壁には、縁切り溝２０に連なり縁切り溝２０より下方に延びる案内溝２２が形成されている。なお、図５には、複数の縁切り溝２０及び案内溝２２が形成されているが、代表してそれぞれ一つに符号を付している。
なお、上ケース８の側壁部５の下面は、上ケース接合面１４になっているが、その接合面より外側には、接合面よりさらに下方まで延びるオーバーラップ部１９が設けられている。このオーバーラップ部１９は、接合部１８が外から見えないようにするためのものである。
図７に示すように、この上ケース８の取り付け後は、下ケース接合面１６と上ケース接合面１４とが接合する接合部１８に、縁切り溝２０により空間（隙間）が確保される。この空間により、接合部１８に沿って流れる水を遮断できる。この原理については次に説明する。
【００２１】
図８は、縁切り溝の原理を示すものであり、接合部を内側から見た図である。
図８に示すように、下ケース１０の立壁部１７の上面は下ケース接合面１６になっている。そして、その下ケース接合面１６には、立壁部１７の厚み方向に延び、断面形状を略半円形状とする縁切り溝２０が形成されている。なお、本実施形態では、縁切り溝２０の断面形状を略半円形状にしているが、本発明はこれに限らず接合部１８に空間を形成できるものであればどのような形状でもよい。
そして、立壁部１７の内壁には、その縁切り溝２０に連なり下方に延びる案内溝２２が形成されている。この案内溝２２の断面形状も、本実施形態では略三角形状に形成しているが、本発明はこれに限らず立壁部１７の内壁に凹みをもたせたものであれば、どのような形状でもよい。
【００２２】
図８のような構造では、まず、上ケース８の内壁に結露により水滴が発生すると、その水滴が重力または振動により下方に流下する（矢印Ｅ）。そして、その水滴が下ケース接合面１６と上ケース接合面１４との間の微小隙間（接合部１８）に侵入する。そして、この微小隙間（接合部１８）に侵入した水滴は、毛細管現象により微小隙間（接合部１８）に沿って移動する（矢印Ｆ）。そして、その水滴が、縁切り溝２０に到達すると、縁切り溝２０に入り込みそこで滞留する（矢印Ｇ）。その後、縁切り溝２０に滞留した水滴は、立壁部１７内壁の案内溝２２に沿って下方に流下する（矢印Ｈ）。
【００２３】
このような構成により、上ケース８の側壁部５内壁で結露した水滴が微小隙間（接合部１８）に侵入し、その微小隙間（接合部１８）に沿って流れたとしても、縁切り溝２０によりそれを遮断することができ、且つ遮断した水滴は案内溝２２により下ケース１０の内側下方まで案内することができる。
そして、下ケース１０の内側下方まで案内された水滴は、下ケース１０の底板部１５に設けられた排水経路（図示しない）で便器に排水されるか、または下ケースの底板部１５上で蒸発する。
したがって、接合部の一部に開口部が形成されていたとしても、結露した水滴がその接合部に沿って流れ、開口部から流出することがない。また、ケーシングの角部等に形成された接合部に水滴が多量に流れこみ、そこからケーシング外部へ流出することがない。なお、図８に示した図では、下ケース接合面１６は、左側下方に傾斜する傾斜面として説明したが、仮に傾斜していない面であっても、毛細管現象により水滴が微小隙間（接合部１８）に沿って流れるため、このような縁切り溝２０及び案内溝２２は有効に作用する。
【００２４】
次に、図９、１０により、図３の領域Ｂについて説明する。
図９は、下ケースに上ケースを取り付ける前の図であり、図１０は上ケースを取り付けた後の図である。
【００２５】
図９に示すように立壁部１７の上面は、縁切り溝２０が形成された下ケース接合面１６と、さらにその下ケース接合面１６より外側に位置する流出防止壁２４が形成されている。なお、この流出防止壁２４の上端は下ケース接合面１６より上方に位置している。
このように構成することで、立壁部１７の内壁に案内溝を形成しない場合であっても、縁切り溝２０に滞留した水滴が流出防止壁２４より外側へ流出することがなく、縁切り溝２０に滞留した水滴が所定量に達すると、自然に立壁部１７の内壁に沿って流下することになる。したがって、立壁部１７の内壁に案内溝を形成せずとも、縁切り溝２０に滞留した水滴が立壁部１７の内壁を伝って、下ケース１０の下方まで流下することになる。そして、流下した水滴は、下ケース１０の底板部１５に設けられた排水経路（図示しない）で便器に排水されるか、または下ケースの底板部１５で蒸発する。よって、接合部の一部に開口部が形成されていたとしても、結露した水滴がその接合部に沿って流れ、開口部から流出することがない。また、ケーシングの角部等に形成された接合部に水滴が多量に流れこみ、そこからケーシング外部へ流出することがない。なお、図８には、複数の縁切り溝２０及び案内溝２２が形成されているが、代表してそれぞれ一つに符号を付している。
【００２６】
以上、具体例を参照しつつ、本発明の実施形態について説明した。しかし、本発明は、
これらの具体例に限定されるものではない。例えば、衛生洗浄装置を構成する各要素の具体的な構成に関しては、当業者が公知の範囲から適宜選択することにより本発明を同様に実施し、同様の効果を得ることができる限り、本発明の範囲に包含される。
また、各具体例のいずれか２つ以上の要素を技術的に可能な範囲で組み合わせたものも、本発明の要旨を包含する限り本発明の範囲に含まれる。
なお、本実施形態において説明は省略したが、例えば、上ケースの天井部において、側壁部の近傍に、下方へ垂下するリブ等を設けても良い。このような構成とすることで、上ケースの天井部で結露した水滴は、側壁部へ流れずにリブを伝ってそのまま落下するため、接合部へ侵入する水滴の量をかなり抑えることができる。
【符号の説明】
【００２７】
１      衛生洗浄装置
２      便座
４      便蓋
５      側壁部
６      ケーシング
７      天井壁部
８      上ケース
１０    下ケース
１２    開口部
１４    上ケース接合面
１５    底板部
１６    下ケース接合面
１７    立壁部
１８    接合部
１９    オーバーラップ部
２０    縁切り溝
２２    案内溝
２４    流出防止壁
【図１】
2013096090.tif 000003
【図２】
2013096090.tif 000004
【図３】
2013096090.tif 000005
【図４】
2013096090.tif 000006
【図５】
2013096090.tif 000007
【図６】
2013096090.tif 000008
【図７】
2013096090.tif 000009
【図８】
2013096090.tif 000010
【図９】
2013096090.tif 000011
【図１０】
2013096090.tif 000012